(57)【要約】【課題】  監視対象端末の情報の自動登録を行うことができる監視サーバ、ネットワーク監視システム、ネットワーク監視方法およびネットワーク監視プログラムを提供する。【解決手段】監視サーバ１は、監視対象装置の各々の設定登録情報を格納する監視対象装置情報記憶部１７と、新規に接続された監視対象装置から受信する所定の通知を基に、監視サーバが管理するネットワーク内の監視対象装置であるか識別する識別部１５ａと、所定の通知の送信元特定情報が、監視対象装置情報記憶部の設定登録情報に含まれる特定情報と一致するか否かで、所定の通知の送信元監視対象装置が登録済みか否かを確認する登録確認部１５ｂとを備える。【選択図】      図２
2015186164.tif 000002
【特許請求の範囲】
【請求項１】
複数の監視対象装置と通信可能に接続された監視サーバであって、
前記監視対象装置の各々の設定登録情報を格納する監視対象装置情報記憶部と、
新規に接続された監視対象装置から受信する所定の通知を基に、前記監視サーバが管理するネットワーク内の監視対象装置であるか識別する識別部と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する登録確認部
とを備えることを特徴とする監視サーバ。
【請求項２】
前記登録確認部が登録済みでないと判断した場合、前記所定の通知の送信元特定情報を基に、未登録の監視対象装置の設定情報を検索し、検索された設定登録情報を前記監視対象装置情報記憶部に格納する装置情報取得部を更に備えることを特徴とする請求項１に記載の監視サーバ。
【請求項３】
前記監視対象装置と前記監視サーバの通信はＲＦＣ規格の標準マネジメントインフォメーションベースのフォーマットを使用することを特徴とする請求項１又は２に記載の監視サーバ。
【請求項４】
前記識別部は、前記所定の通知に含まれる前記標準マネジメントインフォメーションベースのフォーマットの内のシステムオブジェクトＩＤを基に、前記監視サーバが管理するネットワーク内の監視対象装置であるか識別することを特徴とする請求項１乃至３のいずれか１項に記載の監視サーバ。
【請求項５】
請求項１乃至４のいずれか１項に記載の監視サーバと、
前記監視対象装置を備え、
前記監視サーバの管理するネットワーク内に新たに追加された監視対象装置は、前記監視サーバに対して所定の通知を送信することを特徴とするネットワーク監視システム。
【請求項６】
複数の監視対象装置と通信可能に接続された監視サーバがネットワークを監視するためのネットワーク監視方法であって、
前記監視対象装置の各々の設定登録情報を監視対象装置情報記憶部に格納する工程と、
新規に接続された監視対象装置から受信する所定の通知を基に、前記監視サーバが管理するネットワーク内の監視対象装置であるか識別する工程と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する工程
とを有することを特徴とするネットワーク監視方法。
【請求項７】
前記確認する工程で登録済みでないと判断した場合、前記所定の通知の送信元特定情報を基に、未登録の監視対象装置の設定情報を検索し、検索された設定登録情報を前記監視対象装置情報記憶部に格納する工程を更に有することを特徴とする請求項６に記載のネットワーク監視方法。
【請求項８】
前記監視対象装置と前記監視サーバの通信はＲＦＣ規格の標準マネジメントインフォメーションベースのフォーマットを使用することを特徴とする請求項６又は７に記載のネットワーク監視方法。
【請求項９】
複数の監視対象装置と通信可能に接続された監視サーバがネットワーク監視を行うためのネットワーク監視プログラムであって、
前記監視対象装置の各々の設定登録情報を監視対象装置情報記憶部に格納させる手順と、
新規に接続された監視対象装置から受信する所定の通知を基に、前記監視サーバが管理するネットワーク内の監視対象装置であるか識別する手順と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する手順
とを有し、前記システムの有する前記各手順をコンピュータに機能させるためのネットワーク監視プログラム。
【請求項１０】
前記登録確認部が登録済みでないと判断した場合、前記所定の通知の送信元特定情報を基に、未登録の監視対象装置の設定情報を検索し、検索された設定登録情報を前記監視対象装置情報記憶部に格納する手順を更にコンピュータに機能させるための請求項９に記載のネットワーク監視プログラム。
【発明の詳細な説明】
【技術分野】
【０００１】
本発明は、ネットワークを監視する監視サーバ、ネットワーク監視システム、ネットワーク監視方法およびネットワーク監視プログラムに関する。
【背景技術】
【０００２】
ネットワーク監視システムは、監視の対象となる監視対象端末をネットワークを介して監視するためのシステムであり、ネットワーク構築の際に監視対象装置のＬ２スイッチやＬ３スイッチ等の設定を行ったり、その後の通信状態の監視をしたりして、ネットワーク全体を管理する。ネットワーク監視システムは、所定の地域毎に監視対象装置をグループ化し、それらのグループのネットワークをバス回線等を介してつなぐ。これにより全国又は全世界等で数百、数万規模の巨大なネットワークが構築される。
【０００３】
ネットワークの変更や拡張の際には、保守作業者が、ネットワーク監視システムに対してこの監視対象装置の情報を追加登録する必要がある。この際、監視対象装置の情報が正しく登録されず、ネットワーク監視システムに登録されている監視対象装置の情報と監視対象装置が備える情報が一致しないと、監視対象装置を正しく監視できない。ネットワークが大規模になるほど、監視対象装置の台数も増加し、これに伴い、ネットワーク監視システムへの登録作業にて保守作業者が入力ミスする可能性も高くなる。このため、保守作業者に代わり、プログラムにてネットワークに自動登録できる手法が開示されている。
【０００４】
例えば、経路制御プロトコルとしてＯＳＰＦ（Open Shortest Path First）を採用し、このうちのＬＬＤＰ（Link Layer Discovery Protocol）プロトコルを使用して隣接する機器の検出を行うことで監視対象装置を特定し、当該装置の登録すべき情報を自動的に取得する手法が開示されている（特許文献１参照）。
【０００５】
また、全監視対象装置に対し監視サーバがブロードキャスト送信を行い、この返信メッセージを受信することで、監視対象装置のアドレスを検出する手法が開示されている（特許文献２参照）。
【先行技術文献】
【特許文献】
【０００６】
【特許文献１】特開２０１２−１３４６１６号公報
【特許文献２】特開平９−１７２４３３号公報
【発明の概要】
【発明が解決しようとする課題】
【０００７】
特許文献１に記載の手法では、監視サーバに自動登録するために、監視対象装置が、登録依頼の為に定義された独自メッセージを作成し、これを監視サーバに送信する。監視サーバはこの独自メッセージを受信し、受信した独自メッセージを基に監視対象装置の情報を登録する必要があった。即ち、登録の為のメッセージの送受信が必要であった。
【０００８】
特許文献２に記載の手法では、監視サーバは、ネットワークに接続されている全装置へ空メッセージ等のブロードキャスト配信を行い、ネットワークに接続されている装置はこのメッセージに対し返信する。監視サーバは、この返信メッセージを元に、監視対象装置のアドレス等を検出し、検出されたアドレス等を登録する必要があった。即ち、登録の為のメッセージの送受信が必要であった。
【０００９】
本発明は上記の課題に鑑みてなされたものであり、登録の為のメッセージの送受信を行うことなく、監視対象端末の情報の自動登録を行う監視サーバ、ネットワーク監視システム、ネットワーク監視方法およびネットワーク監視プログラムを提供することを目的とする。
【課題を解決するための手段】
【００１０】
上記問題点に鑑みて、本発明の第１の特徴は、複数の監視対象装置と通信可能に接続された監視サーバであって、前記監視対象装置の各々の設定登録情報を格納する監視対象装置情報記憶部と、新規に接続された監視対象装置から受信する所定の通知を基に、前記監視サーバが管理するネットワーク内の監視対象装置であるか識別する識別部と、前記所定の通知の送信元特定情報が、前記監視対象装置情報記憶部の前記設定登録情報に含まれる特定情報と一致するか否かで、前記所定の通知の送信元監視対象装置が登録済みか否かを確認する登録確認部とを備える監視サーバであることを要旨とする。
【００１１】
本発明の第２の特徴は、上記に記載の監視サーバと、前記監視対象装置とを備え、前記監視サーバの管理するネットワーク内に新たに追加された監視対象装置は、前記監視サーバに対して所定の通知を送信するネットワーク監視システムであることを要旨とする。
【００１２】
本発明の第３の特徴は、複数の監視対象装置と通信可能に接続された監視サーバがネットワークを監視するためのネットワーク監視方法であって、前記監視対象装置の各々の設定登録情報を監視対象装置情報記憶部に格納する工程と、新規に接続された監視対象装置から受信する所定の通知を基に、前記監視サーバが管理するネットワーク内の監視対象装置であるか識別する工程と、前記所定の通知の送信元特定情報が、前記監視対象装置情報記憶部の前記設定登録情報に含まれる特定情報と一致するか否かで、前記所定の通知の送信元監視対象装置が登録済みか否かを確認する工程とを有するネットワーク監視方法であることを要旨とする。
【００１３】
本発明の第４の特徴は、複数の監視対象装置と通信可能に接続された監視サーバがネットワーク監視を行うためのネットワーク監視プログラムであって、前記監視対象装置の各々の設定登録情報を監視対象装置情報記憶部に格納させる手順と、新規に接続された監視対象装置から受信する所定の通知を基に、前記監視サーバが管理するネットワーク内の監視対象装置であるか識別する手順と、前記所定の通知の送信元特定情報が、前記監視対象装置情報記憶部の前記設定登録情報に含まれる特定情報と一致するか否かで、前記所定の通知の送信元監視対象装置が登録済みか否かを確認する手順とを有し、前記システムの有する前記各手順をコンピュータに機能させるためのネットワーク監視プログラムであることを要旨とする。
【発明の効果】
【００１４】
本発明に係る監視サーバ、ネットワーク監視システム、ネットワーク監視方法およびネットワーク監視プログラムによれば、登録の為のメッセージの送受信を行うことなく、監視対象端末の情報の自動登録を行うことができる。
【図面の簡単な説明】
【００１５】
【図１】第一の実施形態に係るネットワーク監視システムの構成図である。
【図２】監視サーバの内部構成図である。
【図３】監視対象装置情報記憶部の内部データ構造を示す図である。
【図４】位置情報の命名構造を示す図である。
【図５】ＭＩＢのテーブルおよび変位を示すテーブル図である。
【図６】監視対象装置の内部構成図である。
【図７】設定情報記憶部の内部データ構造を示す図である。
【図８】監視対象装置の動作を示すフロー図である。
【図９】監視サーバの動作を示すフロー図である。
【図１０】第二の実施形態に係るネットワーク監視システムの構成図である。
【発明を実施するための形態】
【００１６】
次に図面を参照して、本発明の実施の形態を説明する。以下の図面の記載において、同一又は類似の部分には同一又は類似の符号を付している。ただし、図面は模式的なものであることに留意すべきである。更に以下に記載される実施形態は一例であり、その本質を同一とする範囲において適宜変更可能であることに留意すべきである。
＜第一の実施形態＞
（ネットワーク監視システム）
本発明の第一の実施形態に係るネットワーク監視システム１００は、図１に示すように、監視サーバ１と、複数の監視対象装置２ａ、２ｂ、２ｃ、２ｄ、２ｅ、２ｆを備える。監視サーバ１と各監視対象装置２ａ〜２ｆはイントラネットやインターネット等の回線網３にて接続されている。尚、ネットワークが巨大な場合、監視サーバ１は複数存在してかまわない。監視対象装置２ａ〜２ｆは地域毎に設置される通信装置であり、同一地域内に少なくとも１つ以上存在する。説明の便宜上、Ａ地域には監視対象端末２ａ、２ｂが、Ｂ地域には監視対象端末２ｃ、２ｄが、Ｃ地域には監視対象端末２ｅ、２ｆが属しているものとする。監視対象端末２ａ〜２ｆは、各々の地域において図示しないノード端末を複数備え、ネットワークを介してそれらの通信を管理している。
（監視サーバ）
監視サーバ１は図２に示すように、入力装置１１、出力装置１２、通信装置１３、一時記憶装置１４、ＣＰＵ（Central Processing Unit）１５、受信情報記憶部１６、監視対象装置情報記憶部１７および位置変換情報記憶部１８等を備える。ＣＰＵ１５は、監視対象装置識別部１５ａ、登録確認部１５ｂ、情報検索部１５ｃ、装置情報取得部１５ｄ、位置情報変換部１５ｅおよび位置情報登録部１５ｆ等を備える。これらの各部はＣＰＵ１５にて演算処理されるプログラムの機能ブロックを示す。
【００１７】
受信情報記憶部１６は、受信するトラップ通知等のデータを記憶する。
【００１８】
監視対象装置情報記憶部１７は、監視対象装置２ａ〜２ｆの基本設定情報を基に作成された設定登録情報を格納する。設定登録情報には監視対象装置２ａ〜２ｆを一意に特定できる特定情報としてＩＰアドレス等が含まれる。例えば監視対象装置情報記憶部１７は図３に示すように、「ＩＰ（Internet Protocol）アドレス」「装置名称」「位置情報」「その他の関連情報」等を格納する。
【００１９】
位置変換情報記憶部１８は、監視サーバ１の管理下にある監視対象装置２ａ〜２ｆの位置情報の命名規則、および位置情報を日本語に変換するための位置変換表を格納する。命名規則の一例としては、図４に示すように、先頭から２バイトの情報を「地域」、先頭３〜５バイト目の情報を「県名」、先頭６〜９バイト目の情報を「所在地」、先頭１０バイト目以降を「その他の付加情報」とするようにする。またこの規則では、地域は００〜９９の数値コード、県名は０００〜９９９の数値コード、所在地は００００〜９９９９の数値コード、その他の付加情報は文字列コードＡ〜Ｚ、ａ〜ｚ、および数値コード０〜９から構成するようにする。位置変換表は「地域」「県名」「所在地」を示す数値コードと、これに対応する日本語を配置した表である。例えば、地域０１は「関東」、県名００１は「東京」、所在地０００１は「千代田区一番地」のように定義する。
【００２０】
通信装置１３は、規定された通信インタフェースに従い、通信の制御を行う。通信インタフェースの仕様として、本実施形態では、ＲＦＣ（Request For Comment）１２１３「Management Information Base for Network Management of TCP/IP-based internets」を採用し、ＲＦＣ１２１３で規格された標準ＭＩＢ（Management Information Base）、プライベートＭＩＢ、ＣＬＩ（Command Line Interface）のコマンド等を備える。共通のＭＩＢの種類としては図５に示すように、「sysDescr」「sysObjectID」「sysContact」「sysName」「sysLocation」等がある。このうち「sysObjectID」はどのようなネットワーク管理サブシステムが含まれるかを示した表であり、この表によりどの管理サーバの下にどの監視対象装置が管理されているかを簡易かつ正確に調べることができる。
【００２１】
監視対象装置識別部１５ａは、新規に接続された監視対象装置２ａ〜２ｆから受信する所定の通知、例えばトラップ通知を基に、監視サーバ１が管理するネットワーク内の監視対象装置２ａ〜２ｆであるか判断する。
【００２２】
登録確認部１５ｂは、トラップ通知の送信元特定情報、例えば送信元ＩＰアドレスを基に、監視対象装置のＩＰアドレスが監視対象装置情報記憶部１７に登録されているか判断する。
【００２３】
情報検索部１５ｃは、トラップ通知の送信元ＩＰアドレスを基に、未登録の監視対象装置の基本設定情報を検索する。
【００２４】
装置情報取得部１５ｄは、検索された基本情報を取得し、取得した基本設定情報に含まれるＩＰアドレス、装置名称、位置情報等の情報を監視対象装置情報記憶部１７に格納する。
【００２５】
位置情報変換部１５ｅは、基本設定情報に含まれる位置情報を、位置変換情報記憶部１８に格納される位置変換表を基に、日本語に変換する。位置情報登録部１５ｆは、変換された日本語の位置情報を監視対象装置情報記憶部１７に格納する。
【００２６】
入力装置１１はデータを入力するためのキーボード、マウスや、外部よりデータを入力するための入力ポート等を指す。出力装置１２はデータを表示するための画像装置、印刷装置や、外部にデータを出力するためのポート等を指す。一時記憶装置１４はＣＰＵ１５が演算処理するデータを一時記憶するためのＲＡＭ（Random Access Memory）等である。図２では、機能ブロックである各部１５ａ〜１５ｆはＣＰＵ１５に格納されているが、これはＲＯＭ（Read Only Memory）やＲＡＭに格納されていてもよい。ＣＰＵ１５が適宜各部１５ａ〜１５ｆを読み込み演算処理を行うことで各機能は実行される。
（監視対象装置）
監視対象装置２ａ〜２ｆは、図６に示すように、入力装置２１、出力装置２２、通信装置２３、一時記憶装置２４、ＣＰＵ２５および設定情報記憶部２６等を備える。ＣＰＵ２５は、基本設定情報管理部２５ａ、データ通信設定情報管理部２５ｂおよびトラップ通知送信部２５ｃ等を備える。
【００２７】
通信装置２３は、規定された通信インタフェースに従い、通信の制御を行う。通信装置２３は、通信インタフェースの仕様として、ＲＦＣ１２１３で規格された標準ＭＩＢ、プライベートＭＩＢ、ＣＬＩコマンド等を備える。
【００２８】
設定情報記憶部２６は、図７に示す、監視対象装置２ａ〜２ｆの基本設定情報およびデータ通信設定情報を格納する。基本設定情報は、「装置名称」「装置ＩＰアドレス」「認証方式」「通信プロトコル」「装置アカウント情報」「監視サーバアドレス」「位置情報」等の情報を備える。データ通信設定情報は、「パス設定」「帯域制御」「回線品質」等の情報を備える。
【００２９】
基本設定情報管理部２５ａは、基本設定情報の新規登録、更新、削除等を行う。
データ通信設定情報管理部２５ｂは、データ通信設定情報の新規登録、更新、削除等を行う。
【００３０】
トラップ通知送信部２５ｃは、新たな監視対象装置が監視サーバ１管理下のネットワークに追加設置された際に、監視サーバ１に対して、装置設定完了を知らせるためのトラップ通知を送信する。トラップ通知は装置設定完了時には必ず通知されるものであり、新たな監視対象装置２ｇが、監視サーバ１へ登録依頼の為に、独自メッセージを作成、送信するのとは異なる。尚、トラップ通知には様々な種類があり、監視対象装置２ａ〜２ｆ側で異常を検知した際等にも能動的に監視サーバ１に送信される。
【００３１】
その他の装置等については図２と同様であるため説明を省略する。
（ネットワーク監視システムの動作）
次にネットワーク監視システム１００の動作について説明する。以下の説明では、図１のＡ地域の回線増加に伴い、新たに監視対象装置２ｇ（図示せず）をＡ地域のネットワークに増設する場合の動作について説明する。尚、監視対象装置２ａ〜２ｆをネットワークから削除する場合は、監視対象装置情報記憶部１７の登録情報を削除するのみで、操作ミスが少ないため、本実施形態では説明を省略する。
【００３２】
まず、新たな監視対象端末２ｇの動作について図８のフロー図を参照して説明する。
（ａ）まずステップＳ１１０において、新たな監視対象端末２ｇの基本設定情報管理部２５ａは、監視サーバ１との接続に必要な基本設定情報およびデータ通信に必要なデータ通信設定情報を設定情報記憶部２６に格納する。また、前提として新たな監視対象装置２ｇの通信装置２３は、標準ＭＩＢ、プライベートＭＩＢ、ＣＬＩコマンド等を備える。
（ｂ）ステップＳ１２０において、保守作業者により、ネットワークと新たな監視対象端末２ｇが接続され、起動されると、トラップ通知送信部２５ｃは監視サーバ１に対し、新たな監視対象端末２ｇの設定完了を知らせるためのトラップ通知を送信する。このトラップ通知は、送信元アドレスとして、新たな監視対象端末２ｇのＩＰアドレスを備えている。
【００３３】
次にトラップ通知を受信する監視サーバ１の動作について図９のフロー図を参照して説明する。
（ａ）ステップＳ２１０において、回線網３を介し、監視サーバ１がトラップ通知を受信する。ステップＳ２２０において、監視対象装置識別部１５ａは、トラップ通知の送信元ＩＰアドレスを基に監視対象装置２ｇを検索する。検索の結果、監視対象装置２ｇを見つけると、監視対象装置２ｇの標準ＭＩＢに含まれる図５の「sysObjectID」を読み出して、監視サーバ１が管理するネットワーク内の監視対象装置か否かを判断する。監視対象装置であると判断するとステップＳ２３０へ進む。監視対象装置でないと判断するとステップＳ２８０にて単なるトラップ通知として受信情報記憶部１６へ格納し、ステップＳ２１０へ戻る。
（ｂ）次にステップＳ２３０において、登録確認部１５ｂは、トラップ通知の送信元ＩＰアドレスが、監視対象装置情報記憶部１７に格納される設定登録情報内の監視対象装置ＩＰアドレスとして既に登録されているか否かを判断する。未登録と判断したらステップＳ２４０へ進む。登録済みと判断したらステップＳ２８０にて、単なるトラップ通知として受信情報記憶部１６へ格納し、ステップＳ２１０へ戻る。
（ｃ）ステップＳ２４０において、情報検索部１５ｃは、トラップ通知の送信元ＩＰアドレスを基に、未登録の監視対象装置２ｇの基本設定情報（図７参照）を、回線網３を介して検索する。ステップＳ２５０において、装置情報取得部１５ｄは、検索された基本情報を取得し、取得した基本設定情報に含まれるＩＰアドレス、装置名称、位置情報等を設定登録情報として監視対象装置情報記憶部１７に格納する。
（ｄ）ステップＳ２６０において、位置情報変換部１５ｅは、設定登録情報の位置情報を取得し、位置変換情報記憶部１８に格納される位置変換表を使用して、日本語名称に変換する。ステップＳ２７０において、位置情報登録部１５ｆは、変換された日本語の位置情報を設定登録情報として監視対象装置情報記憶部１７に格納する。
【００３４】
以上のように本発明の第一の実施形態によると、監視対象装置識別部がトラップ通知の送信元のsysObjectIDを読み出して、監視サーバが管理するネットワーク内の監視対象装置か否かを判断する。また情報検索部と装置情報取得部が、ネットワーク内に追加された監視対象装置の情報を登録する。これにより、監視対象装置の新規登録の為のメッセージの送受信を行うことなく、追加された監視対象装置の情報を自動登録することができる。
更に、位置情報変換部は監視対象端末の位置情報を日本語に自動変換登録する。これにより、保守作業者による入力ミスを防ぎ、入力時間を短縮することができる。更に保守作業者による位置情報の確認が容易となる。
＜第二の実施形態＞
本発明の第二の実施形態に係るネットワーク監視システム２００は、図１０に示すように、監視サーバ４を備える。監視サーバ４は、複数の監視対象装置と通信可能に接続されている。監視サーバ４は、監視対象装置情報記憶部４ａ、識別部４ｂおよび登録確認部４ｃ等を備える。
【００３５】
監視対象装置情報記憶部４ａ、監視対象装置の各々の設定登録情報を格納する。識別部４ｂは、新たに追加された監視対象装置から受信する所定の通知を基に、監視サーバが管理するネットワーク内の監視対象装置であるか識別する。登録確認部４ｃは、所定の通知の送信元特定情報が、監視対象装置情報記憶部の設定登録情報に含まれる特定情報と一致するか否かで、所定の通知の送信元監視対象装置が登録済みか否かを確認する。
【００３６】
本発明の第二の実施形態によると、監視対象装置の新規登録の為のメッセージの送受信を行うことなく、追加された監視対象装置の情報を自動登録することができる。
【００３７】
上記の実施形態の一部又は全部は、以下の付記のようにも記載されうるが、以下には限られない。
［付記１］
複数の監視対象装置と通信可能に接続された監視サーバであって、
前記監視対象装置の各々の設定登録情報を格納する監視対象装置情報記憶部と、
新規に接続された監視対象装置から受信する所定の通知を基に、前記監視サーバが管理するネットワーク内の監視対象装置であるか識別する識別部と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する登録確認部
とを備えることを特徴とする監視サーバ。
［付記２］
前記登録確認部が登録済みでないと判断した場合、前記所定の通知の送信元特定情報を基に、未登録の監視対象装置の設定情報を検索し、検索された設定登録情報を前記監視対象装置情報記憶部に格納する装置情報取得部を更に備えることを特徴とする付記１に記載の監視サーバ。
［付記３］
前記監視対象装置と前記監視サーバの通信はＲＦＣ規格の標準マネジメントインフォメーションベースのフォーマットを使用することを特徴とする付記１又は２に記載の監視サーバ。
［付記４］
前記識別部は、前記所定の通知に含まれる前記標準マネジメントインフォメーションベースのフォーマットの内のシステムオブジェクトＩＤを基に、前記監視サーバが管理するネットワーク内の監視対象装置であるか識別することを特徴とする付記１乃至３のいずれか１項に記載の監視サーバ。
［付記５］
付記１乃至４のいずれか１項に記載の監視サーバと、
前記監視対象装置を備え、
前記監視サーバの管理するネットワーク内に新たに追加された監視対象装置は、前記監視サーバに対して所定の通知を送信することを特徴とするネットワーク監視システム。
［付記６］
複数の監視対象装置と通信可能に接続された監視サーバがネットワークを監視するためのネットワーク監視方法であって、
前記監視対象装置の各々の設定登録情報を監視対象装置情報記憶部に格納する工程と、
新規に接続された監視対象装置から受信する所定の通知を基に、前記監視サーバが管理するネットワーク内の監視対象装置であるか識別する工程と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する工程
とを有することを特徴とするネットワーク監視方法。
［付記７］
前記確認する工程で登録済みでないと判断した場合、前記所定の通知の送信元特定情報を基に、未登録の監視対象装置の設定情報を検索し、検索された設定登録情報を前記監視対象装置情報記憶部に格納する工程を更に有することを特徴とする付記６に記載のネットワーク監視方法。
［付記８］
前記監視対象装置と前記監視サーバの通信はＲＦＣ規格の標準マネジメントインフォメーションベースのフォーマットを使用することを特徴とする付記６又は７に記載のネットワーク監視方法。
［付記９］
前記識別する工程は、前記所定の通知に含まれる前記標準マネジメントインフォメーションベースのフォーマットの内のシステムオブジェクトＩＤを基に、前記監視サーバが管理するネットワーク内の監視対象装置であるか識別することを特徴とする付記６乃至８のいずれか１項に記載のネットワーク監視方法。
［付記１０］
複数の監視対象装置と通信可能に接続された監視サーバがネットワーク監視を行うためのネットワーク監視プログラムであって、
前記監視対象装置の各々の設定登録情報を監視対象装置情報記憶部に格納させる手順と、
新規に接続された監視対象装置から受信する所定の通知を基に、前記監視サーバが管理するネットワーク内の監視対象装置であるか識別する手順と、
前記所定の通知の送信元特定情報が、前記監視対象装置情報記憶部の前記設定登録情報に含まれる特定情報と一致するか否かで、前記所定の通知の送信元監視対象装置が登録済みか否かを確認する手順
とを有し、前記システムの有する前記各手順をコンピュータに機能させるためのネットワーク監視プログラム。
［付記１１］
前記登録確認部が登録済みでないと判断した場合、前記所定の通知の送信元特定情報を基に、未登録の監視対象装置の設定情報を検索し、検索された設定登録情報を前記監視対象装置情報記憶部に格納する手順を更にコンピュータに機能させるための付記１０に記載のネットワーク監視プログラム。
［付記１２］
前記監視対象装置と前記監視サーバの通信はＲＦＣ規格の標準マネジメントインフォメーションベースのフォーマットを使用することを特徴とする付記１０又は１１に記載のネットワーク監視プログラム。
［付記１３］
前記識別する手順は、前記所定の通知に含まれる前記標準マネジメントインフォメーションベースのフォーマットの内のシステムオブジェクトＩＤを基に、前記監視サーバが管理するネットワーク内の監視対象装置であるか識別することを特徴とする付記１０乃至１２のいずれか１項に記載のネットワーク監視プログラム。
【符号の説明】
【００３８】
１、４    監視サーバ
１１    入力装置
１２    出力装置
１３    通信装置
１４    一時記憶装置
１５    ＣＰＵ
１５ａ    監視対象装置識別部
１５ｂ    登録確認部
１５ｃ    情報検索部
１５ｄ    装置情報取得部
１５ｅ    位置情報変換部
１５ｆ    位置情報登録部
１６    受信情報記憶部
１７    監視対象装置情報記憶部
１８    位置変換情報記憶部
２ａ、２ｂ、２ｃ、２ｄ、２ｅ、２ｆ、２ｇ    監視対象装置
２１    入力装置
２２    出力装置
２３    通信装置
２４    一時記憶装置
２５    ＣＰＵ
２５ａ    基本設定情報管理部
２５ｂ    データ通信設定情報管理部
２５ｃ    トラップ通知送信部
２６    設定情報記憶部
３    回線網
１００、２００    ネットワーク監視システム
【図１】
2015186164.tif 000003
【図２】
2015186164.tif 000004
【図３】
2015186164.tif 000005
【図４】
2015186164.tif 000006
【図５】
2015186164.tif 000007
【図６】
2015186164.tif 000008
【図７】
2015186164.tif 000009
【図８】
2015186164.tif 000010
【図９】
2015186164.tif 000011
【図１０】
2015186164.tif 000012